(57)【特許請求の範囲】
【請求項１】
給水を開始する指示を受けることで大便器に給水を開始し、所定の条件を満たすことで自律的に給水を停止する流路開閉装置であって、
給水元に繋がる一次側流路と給水先である大便器へ繋がる二次側流路との間の流路開閉を行う主弁体及び主弁座を有する主バルブと、
前記一次側流路から前記二次側流路へ流れる水の瞬間流量を前記一次側流路からの給水圧に依存せずに一定に保つように、相互間に形成される流路断面積を調整する定流量弁体及び定流量弁座を有し、前記主バルブの下部に配置された定流量バルブと、を備え、
前記主弁体及び前記定流量弁体は一体化された弁体部材として形成され、
前記主バルブは、前記弁体部材の可動量を調整するように、前記弁体部材の摺動方向に沿って移動する位置制御部材を有し、
前記位置制御部材は、前記一次側流路の水圧に応じて位置を調整するものであって、前記一次側流路の水圧が高まると前記位置制御部材が前記弁体部材の可動量を狭める方向に移動するように構成されており、
前記流路開閉装置は、前記大便器を洗浄するための洗浄水を前記大便器に供給する洗浄水供給段階では、前記弁体部材を後退方向に駆動し、前記主弁体を前記主弁座から離隔させることで前記二次側流路に洗浄水を供給すると共に、前記流路断面積を調整することで洗浄水の瞬間流量を前記一次側流路からの給水圧に依存せずに一定に保つように構成されており、
前記大便器の封水を形成するためのリフィル水を前記大便器に供給するリフィル水供給段階では、リフィル水の瞬間流量が経時的に変動することを抑制し一定となるように保つリフィル水流量保持手段を更に備えることを特徴とする流路開閉装置。
【請求項２】
サイフォン式大便器に接続されることを特徴とする、請求項１に記載の流路開閉装置。
【請求項３】
前記リフィル水流量保持手段は、リフィル水が供給される流路の流路断面積が、前記弁体部材の駆動によって変動することを抑制するものであることを特徴とする、請求項１又は請求項２に記載の流路開閉装置。
【請求項４】
前記大便器に洗浄水を供給するための流路として、主流路と、前記主流路とは別に設けられた副流路と、が設けられ、前記リフィル水供給段階においては、リフィル水は前記主流路を通過せず、前記副流路からのみ供給されることを特徴とする、請求項３に記載の流路開閉装置。
【請求項５】
前記副流路は、前記弁体部材に設けられていることを特徴とする、請求項４に記載の流路開閉装置。
【発明の詳細な説明】
【技術分野】
【０００１】
本発明は、便器に洗浄水を供給する流路開閉装置に関する。
【背景技術】
【０００２】
便器に洗浄水を供給する手段として、給水路にフラッシュバルブといった流路開閉装置を設けることが広く行われている。フラッシュバルブは、給水元である一次側流路から水を受け入れて一次側内部流路に送り出す流入口と、二次側内部流路から給水先である二次側流路へ水を送り出す流出口とが形成された本体部と、一次側内部流路と二次側内部流路との間の流路開閉を行う主バルブと、この主バルブを介さずに一次側内部流路と二次側内部流路とを連通するバイパス流路と、バイパス流路の流路開閉を行う副バルブと、を備えるものである。
【０００３】
このように構成されたフラッシュバルブは、操作レバーを押し下げるといった副バルブを開く動作を行うと、バイパス流路が開かれて主バルブを構成する主弁体の背圧が低下し、一次側内部流路内の一次圧（給水圧）によって主弁体が主弁座から引き離されるように押し上げられて主バルブが開放され、流出口から水が二次側流路へと流出される。その後、操作レバーを戻すといった副バルブを閉じる動作を行うか、若しくは自動的に操作レバーが戻って副バルブが閉じられると、バイパス流路が閉じられて主弁体の背圧が上昇する。この主弁体の背圧の上昇に伴って主弁体が主弁座に近づくように降下し、やがて主弁体が主弁座に当接することで主バルブが閉じられる。従って、フラッシュバルブは、給水を開始する指示を受けることで、一定の開度となるように主弁体が主弁座から引き離され、便器に給水を開始し、所定の条件を満たすことで自律的に給水を停止する流路開閉装置として機能するものである。
【０００４】
フラッシュバルブが設置される場所は、給水圧が高いところもあれば、給水圧が低いところもある。従来のフラッシュバルブはその構造上、給水圧の高低によらずに、副バルブを開いた際の主弁体の位置は一定であるため、給水圧によってその吐水量が大きくばらつき、無駄水が生じてしまうという問題があった。フラッシュバルブを設置するにあたっては、現場で止水栓を調整し、給水量を調整している。
【０００５】
しかしながら、現場で施工者が止水栓を回して給水量を調整すると、個々の現場によって調整量が異なることが多く、便器に対する給水量が必ずしも適切なものとならない可能性もある。そこで、下記特許文献１に記載のフラッシュバルブでは、主弁体の上昇位置を規制する上昇位置規制手段と、給水圧を検知する圧力センサーと、圧力センサーの水圧測定値に応じて上昇位置規制手段を制御し、主弁体の上昇規制量を調整する制御手段と、を備えている。
【先行技術文献】
【特許文献】
【０００６】
【特許文献１】特開平６−３３６７５３号公報
【発明の概要】
【発明が解決しようとする課題】
【０００７】
上記特許文献１に記載のフラッシュバルブでは、制御手段が、圧力センサーの検知圧力に応じてモーターを駆動し、上昇位置規制手段を給水圧に応じた位置に調整する。従って、給水圧が変動しても、便器側へ流す水量を一定に制御することが出来る。このように、給水圧が高い場合も低い場合も、便器側に流す水量を一定にすることで、無駄水を低減することが可能なものとなっている。
【０００８】
ところで、フラッシュバルブは、小便器にも大便器にも取り付けられるものである。小便器は、小便を受け止めるボウル部の下方に封水部が形成されているものである。小便器を洗浄するにあたって、ボウル部に洗浄水を流すと、その洗浄水はボウル部を洗い流した後封水部に流れ込み、封水部の溜水を置換して洗浄が完了する。従って、小便器に給水するためにフラッシュバルブを取り付けた場合には、便器側に流す水量を一定にすることで、無駄水を低減する効果を享受することができる。
【０００９】
特にサイフォン方式（サイフォンゼット方式といった他のサイフォン現象を利用する方式を含む）は、大便や小便を受け止めるボウル部の下方に封水部が形成されており、封水部から下流の管路を屈曲させ、洗浄時にサイフォン現象を起こさせることによって汚物を吸引して排出する方式である。サイフォン方式の大便器を洗浄するにあたって、ボウル部に洗浄水を流すと、その洗浄水によって封水部及びその前後の管路を満水状態とし、その後にサイフォン現象による吸引効果で汚物を確実に流している。この吸引効果が発生すると、封水部及びその前後の管路の水が吸引されて流されるので、封水部の溜水がなくなってしまう。そこで、洗浄後に封水部に溜水を補給することが行われており、この溜水として補給する水をリフィル水とも呼んでいる。本発明者らは、洗い落とし方式の大便器とは異なり、サイフォン現象を利用するサイフォン方式では、このリフィル水の特性に起因して、従来のフラッシュバルブでは無駄水の低減効果を享受することはできないことを発見したものである。
【００１０】
上記特許文献１に記載されているフラッシュバルブは、給水圧が高い場合も低い場合も、便器側に流す瞬間流量を一定にするものであるから、弁座に対する弁体のリフト量を給水圧に応じて変動させる。具体的には、高水圧時にはリフト量を調整しない状態よりもリフト量の抑制度合いを高め、水圧に比してリフト量が少なくなるように調整している。一方、低水圧時にはそのようなリフト量の抑制を低減させることで、水圧に応じたリフト量が生じるように調整している。このように給水圧に応じたリフト量調整をすることで、高水圧時に洗浄水の瞬間流量が上がることを抑制し、低水圧時に洗浄水の瞬間流量を維持確保することで、洗浄水の瞬間流量が一定に保たれるように工夫している。
【００１１】
このように、瞬間流量を一定に保つため、高水圧時にはリフト量の抑制度合いを高め、低水圧時にはリフト量の抑制度合いを少なくしているため、閉弁を開始してから閉弁が完了するまでの弁座に弁体が密接するまでの距離は、給水圧が高ければ相対的に短い距離となり、給水圧が低ければ相対的に長い距離となる。従って、従来のフラッシュバルブは、洗浄水を流すべく弁座から弁体を離隔させている間は便器側に流す水量を給水圧によらずに一定に保てるものの、閉弁を開始してから閉弁が完了するまでに流れる水量が給水圧によってばらついてしまう。
【００１２】
大便器におけるリフィル水は、洗浄後に封水部に溜水を補給するものであるから、フラッシュバルブが閉弁を開始してから閉弁が完了するまでに流れる水がリフィル水として用いられる。従って、従来のフラッシュバルブのように、閉弁を開始してから閉弁が完了するまでに流れる水が給水圧によってばらついてしまえば、リフィル水の供給量がばらつくことになり、封水形成上は何らかの対策が求められる。給水圧が高い場合は閉弁を開始してから閉弁が完了するまでの距離が相対的に短くなるものであるから、給水圧が高い場合を基準にすれば、給水圧が低い場合にリフィル水として必要となる水量以下の水が供給されることになり、無駄水が発生する。一方、給水圧が低い場合は閉弁を開始してから閉弁が完了するまでの距離が相対的に長くなるものであるから、給水圧が低い場合を基準にすれば、給水圧が低い場合にリフィル水として必要となる水量以上の水が供給されることになり、封水切れが起きるおそれもある。
【００１３】
そこで本発明者らは、給水圧に依存しない所定量の洗浄水を前記大便器に供給するために、流路開閉を行う主バルブの弁体と、洗浄水の瞬間流量を調整する定流量バルブの弁体とを一つの弁体部材に一体化した上で、この弁体部材の可動量を調整するように弁体部材の摺動方向に沿って移動する位置制御部材を設けることに着目した。この位置制御部材は給水圧に応じて移動し、その位置を調整する。従って、上記構成においては、給水圧に応じて位置制御部材が移動し、弁体部材の可動量、つまりは開度を調整する。これにより、供給される洗浄水の量をフラッシュバルブが設置される環境における給水圧の高低に依存せずばらつきを抑制しうるものである。
【００１４】
一方で、弁体部材が前進するに伴ってリフィル水の瞬間流量が変動すると、一次側内部流路内の給水圧がその影響を受けて経時的に変動してしまうという問題が新たに生じた。これは、フラッシュバルブを通過する流量が変動することにより、給水圧を生じせしめているポンプの揚程が変動することが原因と考えられる。その結果、一次側内部流路内の給水圧は、フラッシュバルブの設置場所により変動するだけではなく、同じ設置場所でも経時的に変動してしまうこととなる。
【００１５】
フラッシュバルブを通過する水の瞬間流量と、一次側内部流路内の給水圧との関係を図１４に示した。図１４は、設置場所が互いに異なる３つのフラッシュバルブについて、それぞれ、瞬間流量が増加するに伴って給水圧が低下する様子を示している。このように、リフィル水の瞬間流量が変動することに伴って給水圧がどのように変動するかは、給水圧の発生源（ポンプの種類等）や配管の形状等により異なるものとなる。
【００１６】
リフィル水供給時の給水圧が変動すると、給水圧に応じて調整されている位置制御部材がその影響を受け、位置が変化してしまう。このため、弁体部材の位置が変化する結果、リフィル水の供給量も変動することとなる。このため、給水圧に依存しない所定量のリフィル水を前記大便器に供給するためには、上記構成に加えて、給水圧の経時的な変動を抑制し一定となるように保つことが必要である。
【００１７】
本発明はこのような課題に鑑みてなされたものであり、その目的は、大便器に洗浄水を供給する流路開閉装置であって、洗浄水を大便器に供給する場合には給水圧によらずに水量を略一定に保てる一方で、閉弁を開始してから閉弁が完了するまでの間における給水圧の経時的な変動を抑制し、大便器側に供給するリフィル水の水量も一定の範囲内の必要水量に保つことが可能な流路開閉装置を提供することにある。
【課題を解決するための手段】
【００１８】
上記課題を解決するために本発明に係る流路開閉装置は、給水を開始する指示を受けることで大便器に給水を開始し、所定の条件を満たすことで自律的に給水を停止する流路開閉装置であって、給水元に繋がる一次側流路と給水先である大便器へ繋がる二次側流路との間の流路開閉を行う主弁体及び主弁座を有する主バルブと、前記一次側流路から前記二次側流路へ流れる水の瞬間流量を前記一次側流路からの給水圧に依存せずに一定に保つように、相互間に形成される流路断面積を調整する定流量弁体及び定流量弁座を有し、前記主バルブの下部に配置された定流量バルブと、を備え、前記主弁体及び前記定流量弁体は一体化された弁体部材として形成され、前記主バルブは、前記弁体部材の可動量を調整するように、前記弁体部材の摺動方向に沿って移動する位置制御部材を有し、前記位置制御部材は、前記一次側流路の水圧に応じて位置を調整するものであって、前記一次側流路の水圧が高まると前記位置制御部材が前記弁体部材の可動量を狭める方向に移動するように構成されており、前記流路開閉装置は、前記大便器を洗浄するための洗浄水を前記大便器に供給する洗浄水供給段階では、前記弁体部材を後退方向に駆動し、前記主弁体を前記主弁座から離隔させることで前記二次側流路に洗浄水を供給すると共に、前記流路断面積を調整することで洗浄水の瞬間流量を前記一次側流路からの給水圧に依存せずに一定に保つように構成されており、前記大便器の封水を形成するためのリフィル水を前記大便器に供給するリフィル水供給段階では、リフィル水の瞬間流量が経時的に変動することを抑制し一定となるように保つリフィル水流量保持手段を更に備える。
【００１９】
本発明によれば、一次側流路と二次側流路との間の流路開閉を行うための主弁体と、一次側流路から二次側流路へ流れる水の瞬間流量を一定に保つための定流量弁体とを一体化された弁体部材として構成しているので、給水圧の変動によって大便器側に供給する水の瞬間流量が変動することなく、コンパクトな構成の流路開閉装置を提供することができる。大便器に洗浄水を供給する洗浄水供給段階では、定流量弁体と定流量弁座との間に形成される流路断面積を調整することで洗浄水の瞬間流量を一定に保つように構成されているので、弁体部材の相対的な位置を調整することで確実に瞬間流量を一定に保った給水を行うことができる。このように、給水圧に応じて弁体部材の相対的な位置を調整した場合において、洗浄水の供給が終了して閉弁動作に入ると、大便器の封水を形成するためのリフィル水の安定供給ができなくなる。具体的には、高水圧時には、主弁体及び定流量弁体が主弁座及び定流量弁座から離隔し難いように調整し、低水圧時には、主弁体及び定流量弁体が主弁座及び定流量弁座から離隔しやすいように調整しているので、高水圧時にリフィル水が不足する可能性や低水圧時にリフィル水が余る可能性がある。
【００２０】
そこで本発明では、大便器の封水を形成するためのリフィル水を大便器に供給するリフィル水供給段階において、一次側流路からの給水圧に応じて弁体部材の前進動作を調整することで、供給されるリフィル水の量が給水圧に依存して変動することを抑制するリフィル水流量調整手段を備えている。一次側流路からの給水圧に応じて弁体部材の前進動作を調整することで、主弁体の主弁座に対する近接度合いや、定流量弁体の定流量弁座に対する近接度合いを調整することができ、供給されるリフィル水の量が給水圧の高低に依存して変動することを抑制することができる。
【００２１】
さらに本発明では、リフィル水供給段階において、リフィル水の瞬間流量が経時的に変動することを抑制し一定となるように保つリフィル水流量保持手段を備えている。リフィル水の瞬間流量の経時的な変動を抑制することにより、リフィル水供給段階において給水圧が経時的に変動せず、一定となるように保たれる。すなわち、給水圧は、流路開閉装置が設置される場所による変動があるのみで、経時的には一定となる。その結果、上記の水量調整手段により、供給されるリフィル水の量を給水圧に依存せず一定となるように保つことができる。
【００２２】
本発明に係る流路開閉装置では、サイフォン式大便器に接続されることも好ましい。サイフォン式大便器においては、大便器の洗浄時において封水部の溜水が一度なくなってしまうため、洗浄後に多量の溜水を補う必要がある。このため、供給されるリフィル水の量を一定となるように保つという本発明の効果が、特に顕著なものとなる。
【００２３】
本発明に係る流路開閉装置では、前記リフィル水流量保持手段は、リフィル水が供給される流路の流路断面積が、前記弁体部材の駆動によって変動することを抑制するものであることも好ましい。
【００２４】
この好ましい態様では、リフィル水が供給される流路の流路断面積が、弁体部材が駆動しても（弁体部材が前進しても）変動することが抑制される。このため、複雑な弁の制御等を必要とせず、流路の形状を工夫するだけで、リフィル水の瞬間流量を確実に一定とすることができる。
【００２５】
本発明に係る流路開閉装置では、前記大便器に洗浄水を供給するための流路として、主流路と、前記主流路とは別に設けられた副流路と、が設けられ、前記リフィル水供給段階においては、リフィル水は前記主流路を通過せず、前記副流路からのみ供給されることも好ましい。
【００２６】
洗浄水供給段階においては、定流量弁体と定流量弁座との間に形成される流路断面積に応じて、洗浄水の瞬間流量が調整される必要がある。このため、弁体部材の駆動に伴って流路断面積が変動する構成を有している。しかし、この構成が、リフィル水供給段階におけるリフィル水の瞬間流量に影響を与えてしまい、弁体部材の駆動に伴ってリフィル水の瞬間流量が変動してしまう可能性がある。そこで、この好ましい態様では、大便器に洗浄水を供給するための流路として、主流路と副流路という二つの流路が設けられ、リフィル水は主流路を通過せず、副流路からのみ供給されることとした。すなわち、弁体部材の駆動によって流路断面積が変動する構成は主流路側にのみ持たせ、副流路は弁体部材の駆動によって流路断面積が変動しない構成としている。このため、リフィル水供給段階においては、主流路の構成から受ける影響を完全になくすことができ、リフィル水の瞬間流量を確実に一定とすることができる。
【００２７】
本発明に係る流路開閉装置では、前記副流路は、前記弁体部材に設けられていることも好ましい。
【００２８】
リフィル水供給段階が終了した時点においては、リフィル水の供給を停止するために、副流路を閉じる必要がある。この好ましい態様では、副流路を弁体部材に設けているため、主弁体が主弁座に当接した時点で副流路も閉じられることとなる。すなわち、既存の弁体の形状を拡大して副流路を閉じる構造としたり、副流路を閉じるための弁体を別途設けたりすることなく、簡素な構成によって副流路を閉じることができる。
【発明の効果】
【００２９】
本発明によれば、大便器に洗浄水を供給する流路開閉装置であって、洗浄水を大便器に供給する場合には給水圧によらずに水量を略一定に保てる一方で、閉弁を開始してから閉弁が完了するまでの間における給水圧の経時的な変動を抑制し、大便器側に供給するリフィル水の水量も一定の範囲内の必要水量に保つことが可能な流路開閉装置を提供することができる。
【図面の簡単な説明】
【００３０】
【図１】本発明の実施形態であるフラッシュバルブを大便器への給水管に取り付けた状態を示す外観図である。
【図２】本発明の第一実施形態であるフラッシュバルブの内部構造を模式的に示す概略構成図である。
【図３】図２に示すフラッシュバルブの定流量弁体を示す側面図である。
【図４】図２に示すフラッシュバルブの定流量弁体を示す斜視図である。
【図５】図２に示すフラッシュバルブの吐水動作を示す図である。
【図６】図２に示すフラッシュバルブの吐水動作を示す図である
【図７】図２に示すフラッシュバルブの吐水動作を示す図である
【図８】図２に示すフラッシュバルブの吐水動作を示す図である
【図９】図２に示すフラッシュバルブの吐水動作を示す図である
【図１０】本発明の第二実施形態であるフラッシュバルブの内部構造を模式的に示す概略構成図である。
【図１１】図８に示すフラッシュバルブの定流量弁体４４ａを示す側面図である。
【図１２】図８に示すフラッシュバルブの定流量弁体４４ａを示す斜視図である。
【図１３】図１０に示すフラッシュバルブの吐水動作を説明するための図である。
【図１４】給水圧と瞬間流量との関係を示す図である。
【発明を実施するための形態】
【００３１】
以下、添付図面を参照しながら本発明の実施の形態について説明する。説明の理解を容易にするため、各図面において同一の構成要素に対しては可能な限り同一の符号を付して、重複する説明は省略する。
【００３２】
本発明の実施形態であるフラッシュバルブ（流路開閉装置）について図１に示す。図１は、本発明の実施形態であるフラッシュバルブを大便器への給水管に取り付けた状態を示す外観図である。図１に示されるように、フラッシュバルブＳＶ（流路開閉装置）は、大便器ＳＢへの給水管ＴＢの途中に取り付けられている。フラッシュバルブＳＶは、給水を開始する指示を受けることで、給水管ＴＢを経由する流路を開いて大便器ＳＢに給水を開始する。その後、フラッシュバルブＳＶは、所定の条件を満たすことで自律的に流路を閉じて給水を停止する。
【００３３】
大便器ＳＢは、封水部ＳＷが設けられている。封水部ＳＷには常時溜水がなされ、封水が形成されている。大便器ＳＢを使用すると、封水部ＳＷに汚物が投入される。大便器ＳＢの使用後にフラッシュバルブＳＶを操作すると、フラッシュバルブＳＶから略一定の瞬間流量で洗浄水が供給される。この洗浄水によって、封水部ＳＷの溜水及び汚物が流される。本実施形態の場合、大便器ＳＢはサイフォン方式の便器であるので、サイフォン現象によって洗浄水は汚物と共に下流側へ吸引される。本実施形態のフラッシュバルブＳＶは、洗浄後に封水部ＳＷにリフィル水を供給するように構成されている。
【００３４】
フラッシュバルブＳＶは、本体部１０と、電磁弁８２とを備えている。本体部１０内には、給水管ＴＢに繋がる一次側内部流路２０と、大便器ＳＢに繋がる二次側内部流路３０とが形成されている。本体部１０内には弁体部材４０が配置されている。弁体部材４０は、一次側内部流路２０と二次側内部流路３０との間の流路開閉を行うものである。電磁弁８２は、バイパス流路８０に設けられている。電磁弁８２を開くことで、弁体部材４０の背圧が下がり開弁される。本実施形態では、給水管ＴＢにおいて、フラッシュバルブＳＶよりも上流側には止水栓Ｖが、フラッシュバルブＳＶよりも下流側であって大便器ＳＢよりも上流側にはバキュームブレーカーＶＢが、それぞれ配置されている。
【００３５】
続いて、本発明の第一実施形態であるフラッシュバルブＳＶの内部構造について、図２を参照しながら説明する。図２は、フラッシュバルブＳＶの内部構造を模式的に示す概略構成図である。
【００３６】
図２に示されるように、フラッシュバルブＳＶは、本体部１０を備えている。本体部１０の内部には、一次側内部流路２０と、二次側内部流路３０と、背圧室１４と、副背圧室１２とが形成されている。一次側内部流路２０は、給水元である一次側流路（図１に示す給水管ＴＢのフラッシュバルブＳＶよりも上流側の流路）から流入水Ｗａを受け入れて、二次側内部流路３０に向けて流出させるものである。一次側内部流路２０の上流端には流入口２１が設けられている。流入口２１は、流入水Ｗａを受け入れて一次側内部流路２０に送り出す開口部である。
【００３７】
二次側内部流路３０は、一次側内部流路２０から流入する水を給水先である二次側流路（図１に示す給水管ＴＢのフラッシュバルブＳＶよりも下流側の流路）に流出水Ｗｂとして流出させるものである。二次側内部流路３０の下流端には流出口３１が設けられている。流出口３１は、二次側内部流路３０から二次側流路へ流出水Ｗｂを送り出す開口部である。
【００３８】
一次側内部流路２０と二次側内部流路３０との間には、弁体部材４０が配置されている。弁体部材４０は、下流側の一端が二次側内部流路３０に挿入されており、その反対側の他端が背圧室１４に臨むように配置されている。弁体部材４０は、二次側内部流路３０の下流方向に沿って進退自在に配置されている。弁体部材４０は、その上部に設けられた主弁体４２と、その下部に設けられた定流量弁体４４とからなり、両者が一体となって構成されている。
【００３９】
主弁体４２は、一次側内部流路２０と二次側内部流路３０との間の流路開閉を行うためのものである。主弁体４２は下流側の面において、主弁体面４２１を有している。弁体部材４０が最も下流側に押し込まれると、主弁体面４２１が一次側内部流路２０の二次側内部流路３０に対する境界面に当接し、一次側内部流路２０と二次側内部流路３０との間の水の流通を遮断するように構成されている。従って、主弁体面４２１が当接する境界面は、主弁座面２０１（主弁座）として機能している。
【００４０】
定流量弁体４４は、一次側内部流路２０から二次側内部流路３０へ流れる水の瞬間流量を調整するためのものである。定流量弁体４４は、内部に形成された空間である弁内空間４４５を有している。また、定流量弁体４４の底面においては、二次側内部流路３０と弁内空間４４５とを連通する孔４４４が形成されている。定流量弁体４４はまた、その外側面４４１において、溝状に形成されたスリット４４２を有している。更に、スリット４４２の上部には、外部と弁内空間４４５とを連通する孔４４３が形成されている。
【００４１】
この定流量弁体４４の構造を、図３及び図４を参照しながら詳しく説明する。図３は、定流量弁体４４の側面図であって、図４は定流量弁体４４の斜視図である。定流量弁体４４の外側面４４１には、均等な間隔で４つのスリット４４２が形成されている。各スリット４４２は、断面が矩形の有底な溝であり、外側面４４１の下端から中程まで形成されている。各スリット４４２は、スリット４４２の上端部に位置する水平な面である天面４４６と、側壁を形成する側壁面４４７とを有している。側壁面４４７は、その上部において略鉛直に形成された上部側壁面４４８と、その下部において傾斜状に形成された下部側壁面４４９、４５０とからなっている。このため、スリット４４２の上部においては、スリット４４２の幅は高さによらず一定である。一方、スリット４４２の下部においては、スリット４４２の幅は下方に行くほど広くなっている。
【００４２】
さらに、定流量弁体４４の外側面４４１には、天面４４６よりも上部において、２か所に孔４４３が形成されている。孔４４３は、鉛直方向の径よりも水平方向の径が長く、定流量弁体４４の外部と弁内空間４４５とを連通するように形成されている。
【００４３】
再び図２に戻って説明する。定流量弁体４４の外側面４４１は、二次側内部流路３０の内側壁と近接して対抗している。従って、弁体部材４０が、一次側内部流路２０と二次側内部流路３０との間に水を通すように上昇（背圧室１４へ入り込む方向、後退方向、開弁方向）すると、水が二次側内部流路３０へと流入するが、その流路は二つ存在することとなる。
【００４４】
一つ目の流路（主流路）は、二次側内部流路３０の内側壁とスリット４４２により形成された空間を通過し、二次側内部流路３０へと流入する流路である。弁体部材４０が、一次側内部流路２０と二次側内部流路３０との間に水を通すように上昇（背圧室１４へ入り込む方向、後退方向、開弁方向）すると、一次側内部流路２０からスリット４４２に水が流入する。このとき、弁体部材４０が上昇するほど、水はスリット４４２の下部に対して流入することとなる。スリット４４２は、下方に行くほど幅が広くなっているため、水の流路断面積は広くなり、流量を増やすように作用する。弁体部材４０が、一次側内部流路２０と二次側内部流路３０との間に水を通すように上昇（背圧室１４へ入り込む方向）し、その後下降（流出口３１へ向かう方向、前進方向、閉弁方向）すると、水はスリット４４２の上部に対して流入することとなる。その結果、水の流路断面積は狭くなり、流量を絞るように作用する。
【００４５】
二つ目の流路（副流路）は、孔４４３から弁内空間４４５に流入した後、孔４４４を通過して二次側内部流路３０に流入する流路である。この流路は、弁体部材４０の上昇及び下降によってその流路断面積がほとんど変化しない。従って、弁体部材４０が、一次側内部流路２０と二次側内部流路３０との間に水を通すように上昇（背圧室１４へ入り込む方向、後退方向、開弁方向）した状態においては、常に一定の瞬間流量で水が流れることとなる。
【００４６】
主弁体４２には、その上部側において収容凹部４６が設けられている。収容凹部４６は、背圧室１４側から後退するように凹状に形成されている。収容凹部４６の背圧室１４側には、副弁座４６５が設けられている。収容凹部４６は、孔４６１と、凹部４６２と、副孔４６３（背圧流路）と、が形成されている。
【００４７】
孔４６１は、一次側内部流路２０と凹部４６２とを繋ぐ連通孔として形成されている。凹部４６２は、バネ５０と、副弁桿４８とを収容している。凹部４６２内には、副弁桿４８の先端の大径部４８１が配置されている。大径部４８１は、バネ５０と当接しており、バネ５０を介して弁体部材４０を流出口３１に向けて付勢している。
【００４８】
副弁桿４８は、棒状に延びる小径部４８３と、小径部４８３の先端に設けられている大径部４８１とを有している。小径部４８３は、副弁座４６５に設けられた連通路４６４（背圧流路）を貫通している。連通路４６４と小径部４８３との間には、通水可能な隙間が形成される。従って、孔４６１から凹部４６２に流入した水は、連通路４６４を通って背圧室１４へと流れる。また、孔４６１を通った水の一部は、副孔４６３を通って背圧室１４へと流れる。尚、連通路４６４が閉鎖されている場合は、孔４６１を通った全ての水が副孔４６３を通って背圧室１４へと流れる。
【００４９】
背圧室１４と副背圧室１２とは、第一位置調整部材６０によって仕切られて分離されている。第一位置調整部材６０には凹部６０１が設けられている。凹部６０１は、背圧室１４に向けてその外壁が突出する凹部として形成されている。凹部６０１の下端には、連通路６０２が形成されている。凹部６０１の背圧室１４側には、線形特性を有するバネ７０が配置されている。バネ７０は、一端が凹部６０１内に収容され、他端は第二位置調整部材６５に当接するように配置されている。
【００５０】
第二位置調整部材６５は、バネ７０の巻き線の中心を貫通するように配置されている。第二位置調整部材６５の一端は、副弁桿４８の小径部４８３の一端と当接したり離隔したりするように配置され、第二位置調整部材６５の他端は本体部１０に固定されている。背圧室１４に入った水は、連通路６０２を通じてバイパス流路８０側へと流れる。
【００５１】
第一位置調整部材６０は、副背圧室１２と背圧室１４との圧力差によって押される力とバネ７０がそれに対抗しようとする力、及び第一調整部材６０と弁体部材４０に掛かる摺動抵抗とのバランスによって、副背圧室１２を広げる（背圧室１４を狭める）ように摺動したり、副背圧室１２を狭める（背圧室１４を広げる）ように摺動したりするように構成されている。
【００５２】
副背圧室１２には一次側内部流路２０にかかる一次圧と同じ圧力がかかるように構成されている。具体的には、一次側内部流路２０と副背圧室１２とが副一次流路２２によってつながれており、一次圧が副背圧室１２に伝達されている。
【００５３】
背圧室１４と二次側内部流路３０とは、バイパス流路８０によって繋がっている。バイパス流路８０には電磁弁８２が設けられている。電磁弁８２が閉じられていれば、背圧室１４の内部には一次圧がかかっている。一方、電磁弁８２が開けられると、背圧室１４の水がバイパス流路８０から二次側内部流路３０に流出し、背圧室１４の内部圧力が低下する。
【００５４】
続いて、フラッシュバルブＳＶの動作について、図５〜図９を参照しながら説明する。図５〜図９は、図２に示すフラッシュバルブＳＶの吐水動作を示す図である。図５〜図９それぞれの（Ａ）は給水圧が低圧の状態を示し、図５〜図９それぞれの（Ｂ）は給水圧が高圧の状態を示し、図５〜図９それぞれの（Ｃ）は弁体部材４０のリフト量と副孔４６３及び連通路４６４の合算面積（小穴面積）と大便器ＳＢ側に流れる瞬間流量を示している。図５〜図９それぞれの（Ｃ）において、実線は給水圧が低い場合を示し、破線は給水圧が高い場合を示している。
【００５５】
図５の（Ａ）（Ｂ）（Ｃ）に示されるように、電磁弁８２が閉じられていると、背圧室１４及び副背圧室１２には、一次側内部流路２０と同じ一次圧がかかっている。弁体部材４０の主弁体４２も一次圧によって流出口３１側に押し込まれており、主弁体４２が一次側内部流路２０と二次側内部流路３０の境界面に密着して止水されている。また、副弁体４８２と副弁座４６５は当接しているので、副孔４６３及び連通路４６４の合算面積（小穴面積）は、副孔４６３のみの流路断面積となる。
【００５６】
続いて、図６の（Ａ）（Ｂ）（Ｃ）に示されるように、時刻ｔ１で電磁弁８２が開かれると、まず圧力の低いバイパス流路８０と背圧室１４内が連通される。すると、背圧室１４内の水がバイパス流路８０側へ流出する。背圧室１４と副背圧室１２との圧力差が生じるため、第一位置調整部材６０が押し下げられる。第二位置調整部材６５は本体部１０に固定されているため移動しない。バネ７０は、移動しない第二位置調整部材６５と第一位置調整部材６０との間に配置されているため、第一位置調整部材６０が押し下げられるとバネ７０は縮んで反力を発生させる。第一位置調整部材６０が弁体部材４０に近づく量は、第一位置調整部材６０が副背圧室１２と背圧室１４との差圧によって押される力とバネ７０がそれに対抗しようとする力、及び第一調整部材６０と弁体部材４０に掛かる摺動抵抗とのバランスによって定められる。
【００５７】
従って、図６の（Ａ）に示されるように給水圧が低い場合は、第一位置調整部材６０はあまり押し下げられず、図４の（Ｂ）に示されるように給水圧が高い場合は、第一位置調整部材６０は大きく押し下げられる。
【００５８】
背圧室１４内の水が流出すると、弁体部材４０が背圧室１４側に押し上げられる。弁体部材４０の主弁体４２（主弁体面４２１）が主弁座面２０１から離脱するので、一次側内部流路２０から二次側内部流路３０に水が流れる。この一次側内部流路２０から二次側内部流路３０に流れる水の流量は、主流路（スリット４４２を通過する流路）を流れる流量と副流路（孔４４３を通過する流路）を流れる流量とを合わせた流量であって、一次側内部流路２０からスリット４４２に水が流入する個所における、スリット４４２の幅（流路断面積の大きさ）によって調整される。すなわち、弁体部材４０の位置に応じて主流路を流れる流量のみが調整され、副流路を流れる流量は弁体部材４０の位置によらず略一定である。
【００５９】
第一位置調整部材６０は、弁体部材４０のリフト量を調整し、位置制御部材として機能するものであるから、図６の（Ａ）のように比較的少なく押し下げられると弁体部材４０のリフト量は大きくなり、図６の（Ｂ）のように比較的多く押し下げられると弁体部材４０のリフト量は小さくなる。また、副弁体４８２と副弁座４６５は離隔しているので、副孔４６３及び連通路４６４の合算面積（小穴面積）は、副孔４６３及び連通路４６４の流路断面積となる。
【００６０】
図６の（Ａ）のように給水圧が低い場合に弁体部材４０のリフト量が大きくなり、図６の（Ｂ）のように給水圧が高い場合に弁体部材４０のリフト量が小さくなるので、大便器ＳＢ側に供給される洗浄水の瞬間流量は略同一なものとなる。尚、大便器ＳＢに供給される洗浄水の瞬間流量を厳密に同一に保つ必要はなく、ある程度の範囲内での同等の瞬間流量を確保できれば足りるものである。
【００６１】
図７の（Ａ）（Ｂ）（Ｃ）に示されるように、時刻ｔ２で電磁弁８２が閉じられると、副孔４６３及び連通路４６４を通って、背圧室１４内に水が溜まる。副弁体４８２と副弁座４６５は離隔しているので、副孔４６３及び連通路４６４の合算面積（小穴面積）は、副孔４６３及び連通路４６４の流路断面積となる。従って、背圧室１４には一気に多くの水が流入する。
【００６２】
図８の（Ａ）（Ｂ）（Ｃ）に示されるように、副孔４６３及び連通路４６４を通って、背圧室１４内に一気に多くの水が流入すると、弁体部材４０は流出口３１方向に押し下げられる。弁体部材４０が閉弁方向に押し下げられると、副弁体４８２と副弁座４６５が当接し、連通路４６４が閉塞される。副弁体４８２が形成されている副弁桿４８の小径部４８３は、固定されている第二位置調整部材６５に当接しているので、副弁体４８２の位置は給水圧の高低によらずに略一定なものとなる。従って、弁体部材４０は、給水圧の高低によらずに所定の下降基準（基準位置）まで強制的に移動させられる。副弁体４８２と副弁座４６５が当接した後は、背圧室１４内への流入は副孔４６３からのみになる。弁体部材４０は、所定の下降基準まで強制的に移動するときよりも遅い速度で更に押し下げられる。その弁体部材４０の動きに伴い、バネ５０を介して副弁桿４８も一体的に押し下げられる。
【００６３】
弁体部材４０が所定の下降基準（基準位置）まで強制的に移動させられた状態においては、スリット４４２の天面４４６の高さは、一次側内部流路２０の二次側内部流路３０に対する境界面よりも下に位置している。このため、一次側内部流路２０からスリット４４２に水が流入する流路（主流路）は略遮断された状態となっている。一方、スリット４４２の天面４４６よりも上部に形成された孔４４３は、一次側内部流路２０の二次側内部流路３０に対する境界面よりも上に位置している。このため時刻ｔ２以降においては、一次側内部流路２０から二次側内部流路３０に供給される水は、主流路を通過せず、前記副流路のみを通過することとなる。
【００６４】
図９の（Ａ）（Ｂ）（Ｃ）に示されるように、主弁体４２が主弁座面２０１に当接するまで弁体部材４０が押し下げられると、主流路及び副流路はいずれも閉じられた状態となるため、大便器ＳＢに対する水の供給が停止される。従って、図８の（Ｃ）から図９の（Ｃ）に至るまでに大便器ＳＢに供給される水が、大便器ＳＢの封水部ＳＷに供給されるリフィル水として用いられる。
【００６５】
このように、リフィル水供給段階開始前に、瞬間流量を減少させることによって、リフィル水供給段階において水を供給しても大便器ＳＢの封水部ＳＷに溜まらずに便器洗浄が行われることを抑制することができる。とくにサイフォン式大便器の場合、リフィル水供給段階における瞬間流量が大きすぎると、サイフォン減少が発生してしまい、便器洗浄が行われる可能性が高くなる。
【００６６】
このリフィル水は副流路からのみ供給されるため、弁体部材４０の位置が変化しているにも関わらず、図９に示したように時刻ｔ２以降の瞬間流量は経時的に変動しない。一次側内部流路２０を流れる水の瞬間流量が変動しないため、一次側内部流路２０（給水圧）も変動しない。
【００６７】
給水圧が低い場合と高い場合とを比較すると、時刻ｔ２の直後における瞬間流量は、給水圧が低い場合は、給水圧が高い場合よりも小さくなっている。これは、瞬間流量が下記式の関係となることに起因する。
Ｑ＝Ｃｖ√Δｐ
Ｑ：瞬間流量、Ｃｖ：流路抵抗の逆数、Δｐ：入口と出口の差圧
一方、時刻ｔ２以降、主弁体４２が主弁座面２０１に当接するまで（リフィル水の供給が停止するまで）に要する時間を比較すると、給水圧が低い場合の方が、給水圧が高い場合よりも長くなっている。これは、給水圧が低い場合は弁体部材４０を押し下げる力が弱く、主弁体４２が主弁座面２０１に当接するまで長時間を要するためである。
【００６８】
時刻ｔ２以降、大便器に供給されるリフィル水の総量は、図９の（Ｃ）の瞬間流量のグラフの、時刻ｔ２以降の時間軸と各線との間に挟まれた図形の面積で表される。図９の（Ｃ）で明らかなように、給水圧が低い場合と高い場合とを比較すると、かかる図形の面積はほぼ同じとなっている。従って、給水圧が低い場合も高い場合も、所定の許容範囲内で所定量（大便器ＳＢのタイプによって異なる）のリフィル水を供給することができる。
【００６９】
上述したように、本実施形態の副弁桿４８の副弁体４８２、副弁座４６５は、本願発明のリフィル水量調整手段として機能している。本実施形態では、このリフィル水量調整手段によって、大便器ＳＢの封水を形成するためのリフィル水を大便器ＳＢに供給するリフィル水供給段階（図８，９それぞれの（Ｃ）の時刻ｔ２以降）において、一次側内部流路２０からの給水圧に応じて弁体部材４０の前進動作（主弁体４２を主弁座面２０１に近づける動作）を調整することで、給水圧に依存しない所定量のリフィル水を大便器ＳＢに供給することが可能なものとなっている。一次側流路からの給水圧に応じて弁体部材の前進動作を調整することで、主弁体の主弁座に対する近接度合いや、定流量弁体の定流量弁座に対する近接度合いを調整することができ、供給されるリフィル水の量が給水圧の高低に依存して変動することを抑制することができる。
【００７０】
更に、本実施形態の定流量弁体４４のスリット４４２、孔４４３、弁内空間４４５、孔４４４は、本願発明のリフィル水流量保持手段として機能している。本実施形態では、リフィル水流量保持手段によって、リフィル水供給段階において一次側内部流路２０から供給されるリフィル水の瞬間流量が経時的に変動しない。このため、一次側内部流路２０の圧力（給水圧）が経時的に変動せず、一定に保たれる。その結果、上記のリフィル水流量調整手段により、大便器ＳＢに供給されるリフィル水の量を、給水圧に依存せず一定とすることができる。
【００７１】
続いて、本発明の第二実施形態であるフラッシュバルブＳＶａについて、図１０を参照しながら説明する。フラッシュバルブＳＶａは、フラッシュバルブＳＶの定流量弁体４４を定流量弁体４４ａに置換したものである。フラッシュバルブＳＶａはさらに、一次側内部流路２０の二次側内部流路３０に対する境界面のうち、主弁座面２０１の内側において、一次側内部流路２０から二次側内部流路３０に連通する貫通孔２１０を有している。
【００７２】
定流量弁体４４ａの構造を、図１１及び図１２を参照しながら詳しく説明する。図１１は、定流量弁体４４ａの側面図であって、図１２は定流量弁体４４ａの斜視図である。定流量弁体４４ａの外側面４４１ａには、均等な間隔で４つのスリット４４２ａが形成されている。各スリット４４２ａは、断面が矩形の有底な溝であり、外側面４４１ａの下端から上端近傍まで形成されている。各スリット４４２ａは側壁面４４７ａを有している。側壁面４４７ａは、傾斜状に形成された上部側壁面４４８ａ、上部側壁面４４８ａの下方であって略鉛直に形成された中部側壁面４４９ａ、中部側壁面４４９ａの下方であって傾斜状に形成された下部側壁面４５０ａ、４５１ａとからなっている。このため、スリット４４２ａの幅は下方に行くほど広くなっている。
【００７３】
図３及び図４に示した定流量弁体４４と比較すると、定流量弁体４４ａにおいては孔４４３が形成されていない点が異なっている。また、スリット４４２ａの上部においても、スリット４４２ａの幅は下方に行くほど広くなっている。
【００７４】
再び図１０に戻って説明する。定流量弁体４４ａの外側面４４１ａは、二次側内部流路３０の内側壁と近接して対抗している。従って、弁体部材４０が、一次側内部流路２０と二次側内部流路３０との間に水を通すように上昇（背圧室１４へ入り込む方向、後退方向、開弁方向）すると、水が二次側内部流路３０へと流入するが、その流路は二つ存在することとなる。
【００７５】
一つ目の流路（主流路）は、二次側内部流路３０の内側壁とスリット４４２ａにより形成された空間を通過し、二次側内部流路３０へと流入する流路である。弁体部材４０が、一次側内部流路２０と二次側内部流路３０との間に水を通すように上昇（背圧室１４へ入り込む方向、後退方向、開弁方向）すると、一次側内部流路２０からスリット４４２ａに水が流入する。このとき、弁体部材４０が上昇するほど、水はスリット４４２ａの下部に対して流入することとなる。スリット４４２ａは、下方に行くほど幅が広くなっているため、水の流路断面積は広くなり、流量を増やすように作用する。弁体部材４０が、一次側内部流路２０と二次側内部流路３０との間に水を通すように上昇（背圧室１４へ入り込む方向）し、その後下降（流出口３１へ向かう方向、前進方向、閉弁方向）すると、水はスリット４４２ａの上部に対して流入することとなる。その結果、水の流路断面積は狭くなり、流量を絞るように作用する。
【００７６】
二つ目の流路（副流路）は、一次側内部流路２０から貫通孔２１０を通過して、二次側内部流路３０に流入する流路である。この流路は、弁体部材４０の上昇及び下降によって、流れの律速となる部分における流路断面積がほとんど変化しない。従って、弁体部材４０が、一次側内部流路２０と二次側内部流路３０との間に水を通すように上昇（背圧室１４へ入り込む方向、後退方向、開弁方向）した状態においては、常に一定の瞬間流量で水が流れることとなる。
【００７７】
フラッシュバルブＳＶａにおけるその他の構成は、フラッシュバルブＳＶと同じであるので、その説明を省略する。
【００７８】
続いて、フラッシュバルブＳＶａの動作について、図１３を参照しながら説明する。図１３は、図１０に示すフラッシュバルブＳＶａの吐水動作を示す図である。図１３の（Ａ）に示されるように、電磁弁８２が閉じられていると、背圧室１４及び副背圧室１２には、一次側内部流路２０と同じ一次圧がかかっている。弁体部材４０の主弁体４２も一次圧によって流出口３１側に押し込まれており、主弁体４２が一次側内部流路２０と二次側内部流路３０の境界面に密着して止水されている。また、副弁体４８２と副弁座４６５は当接しているので、副孔４６３及び連通路４６４の合算面積（小穴面積）は、副孔４６３のみの流路断面積となる。
【００７９】
続いて、図１３の（Ｂ）に示されるように、電磁弁８２が開かれると、まず圧力の低いバイパス流路８０と背圧室１４内が連通される。すると、背圧室１４内の水がバイパス流路８０側へ流出する。背圧室１４と副背圧室１２との圧力差が生じるため、第一位置調整部材６０が押し下げられる。第二位置調整部材６５は本体部１０に固定されているため移動しない。バネ７０は、移動しない第二位置調整部材６５と第一位置調整部材６０との間に配置されているため、第一位置調整部材６０が押し下げられるとバネ７０は縮んで反力を発生させる。第一位置調整部材６０が弁体部材４０に近づく量は、第一位置調整部材６０が副背圧室１２と背圧室１４との差圧によって押される力とバネ７０がそれに対抗しようとする力、及び第一位置調整部材６０と弁体部材４０に掛かる摺動抵抗とのバランスによって定められる。
【００８０】
従って、給水圧が低い場合は、第一位置調整部材６０はあまり押し下げられず、給水圧が高い場合は、第一位置調整部材６０は大きく押し下げられる。
【００８１】
背圧室１４内の水が流出すると、弁体部材４０が背圧室１４側に押し上げられる。弁体部材４０の主弁体４２（主弁体面４２１）が主弁座面２０１から離脱するので、一次側内部流路２０から二次側内部流路３０に水が流れる。この一次側内部流路２０から二次側内部流路３０に流れる水の流量は、主流路（スリット４４２ａを通過する流路）を流れる流量と副流路（貫通孔２１０を通過する流路）を流れる流量とを合わせた流量であって、一次側内部流路２０からスリット４４２ａに水が流入する個所における、スリット４４２ａの幅（流路断面積の大きさ）によって調整される。すなわち、弁体部材４０の位置に応じて主流路を流れる流量のみが調整され、副流路を流れる流量は弁体部材４０の位置によらず略一定である。
【００８２】
第一位置調整部材６０は、弁体部材４０のリフト量を調整するものであるから、給水圧が低く比較的少なく押し下げられると弁体部材４０のリフト量は大きくなり、給水圧が高く比較的多く押し下げられると弁体部材４０のリフト量は小さくなる。また、副弁体４８２と副弁座４６５は離隔しているので、副孔４６３及び連通路４６４の合算面積（小穴面積）は、副孔４６３及び連通路４６４の流路断面積となる。
【００８３】
給水圧が低い場合に弁体部材４０のリフト量が大きくなり、給水圧が高い場合に弁体部材４０のリフト量が小さくなるので、大便器ＳＢ側に供給される洗浄水の瞬間流量は略同一なものとなる。尚、大便器ＳＢに供給される洗浄水の瞬間流量を厳密に同一に保つ必要はなく、ある程度の範囲内での同等の瞬間流量を確保できれば足りるものである。
【００８４】
図１３の（Ｃ）に示されるように、電磁弁８２が閉じられると、副孔４６３及び連通路４６４を通って、背圧室１４内に水が溜まる。副弁体４８２と副弁座４６５は離隔しているので、副孔４６３及び連通路４６４の合算面積（小穴面積）は、副孔４６３及び連通路４６４の流路断面積となる。従って、背圧室１４には一気に多くの水が流入する。
【００８５】
図１３の（Ｄ）に示されるように、副孔４６３及び連通路４６４を通って、背圧室１４内に一気に多くの水が流入すると、弁体部材４０は流出口３１方向に押し下げられる。弁体部材４０が閉弁方向に押し下げられると、副弁体４８２と副弁座４６５が当接し、連通路４６４が閉塞される。副弁体４８２が形成されている副弁桿４８の小径部４８３は、固定されている第二位置調整部材６５に当接しているので、副弁体４８２の位置は給水圧の高低によらずに略一定なものとなる。従って、弁体部材４０は、給水圧の高低によらずに所定の下降基準（基準位置）まで強制的に移動させられる。副弁体４８２と副弁座４６５が当接した後は、背圧室１４内への流入は副孔４６３からのみになる。弁体部材４０は、所定の下降基準まで強制的に移動するときよりも遅い速度で更に押し下げられる。その弁体部材４０の動きに伴い、バネ５０を介して副弁桿４８も一体的に押し下げられる。
【００８６】
弁体部材４０が所定の下降基準（基準位置）まで強制的に移動させられた状態においては、スリット４４２ａのうち最も高い部分は、一次側内部流路２０の二次側内部流路３０に対する境界面よりも下に位置している。このため、一次側内部流路２０からスリット４４２ａに水が流入する流路（主流路）は略遮断された状態となっている。一方、一次側内部流路２０から貫通孔２１０に流入する流路（副流路）は、主弁体面４２１が主弁座面２０１から離れている状態においては遮断されない。このため、弁体部材４０が基準位置まで移動した以降においては、一次側内部流路２０から二次側内部流路３０に供給される水は、主流路を通過せず、前記副流路のみを通過することとなる。
【００８７】
その後、主弁体４２が主弁座面２０１に当接するまで弁体部材４０が押し下げられると、主流路及び副流路はいずれも閉じられた状態となるため、大便器ＳＢに対する水の供給が停止される。従って、弁体部材４０が基準位置まで移動してから、主弁体４２が主弁座面２０１に当接するまでの間に大便器ＳＢに供給される水が、大便器ＳＢの封水部ＳＷに供給されるリフィル水として用いられる。
【００８８】
このように、リフィル水供給段階開始前に、瞬間流量を減少させることによって、リフィル水供給段階において水を供給しても大便器ＳＢの封水部ＳＷに溜まらずに便器洗浄が行われることを抑制することができる。とくにサイフォン式大便器の場合、リフィル水供給段階における瞬間流量が大きすぎると、サイフォン減少が発生してしまい、便器洗浄が行われる可能性が高くなる。
【００８９】
このリフィル水は副流路からのみ供給されるため、弁体部材４０の位置が変化しているにも関わらず、弁体部材４０が基準位置まで移動した以降における瞬間流量は変動しない。一次側内部流路２０を流れる水の瞬間流量が変動しないため、一次側内部流路２０（給水圧）も変動しない。
【００９０】
以上のように、本実施形態の定流量弁体４４ａのスリット４４２ａ、及び貫通孔２１０は、本願発明のリフィル水流量保持手段として機能している。本実施形態では、リフィル水流量保持手段によって、リフィル水供給段階において一次側内部流路２０から供給されるリフィル水の瞬間流量が経時的に変動しない。このため、一次側内部流路２０の圧力（給水圧）が経時的に変動せず、一定に保たれる。その結果、本実施形態においても、大便器ＳＢに供給されるリフィル水の量を、給水圧に依存せず一定とすることができる。
【００９１】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００９２】
ＳＶ：フラッシュバルブ（流路開閉装置）
ＳＢ：大便器
ＳＷ：封水部
ＴＢ：給水管
Ｖ：止水栓
１０：本体部
１２：副背圧室
１４：背圧室
２０：一次側内部流路
２０１：主弁座面（主弁座）
２１：流入口
２１０      貫通孔
２２：副一次流路
３０：二次側内部流路
３１：流出口
４０：弁体部材
４２：主弁体
４２１：主弁体面
４４：定流量弁体
４４１：外側面
４４２      スリット
４４３      孔
４４４      孔
４４５      弁内空間
４４６      天面
４４７      側壁面
４４８      上部側壁面
４４９      下部側壁面
４６：収容凹部
４６１：孔
４６２      凹部
４６３：副孔（背圧流路）
４６４：連通路（背圧流路）
４６５      副弁座
４８：副弁桿
４８１：大径部
４８２：副弁体
４８３：小径部
５０：バネ
６０：第一位置調整部材
６０１：凹部
６０２：連通路
６５：第二位置調整部材
７０：バネ
８０：バイパス流路
８２：電磁弁
Ｗａ：流入水
Ｗｂ：流出水
【図２】
0005927830.tif 000002
【図３】
0005927830.tif 000003
【図４】
0005927830.tif 000004
【図５】
0005927830.tif 000005
【図６】
0005927830.tif 000006
【図７】
0005927830.tif 000007
【図８】
0005927830.tif 000008
【図９】
0005927830.tif 000009
【図１０】
0005927830.tif 000010
【図１１】
0005927830.tif 000011
【図１２】
0005927830.tif 000012
【図１３】
0005927830.tif 000013
【図１４】
0005927830.tif 000014
【図１】
0005927830.tif 000015